(57)【要約】【課題】簡単な構成で画像形成（印刷）後確実に画像データ記憶メモリに記憶された画像データを消去して、機密保持及びプライバシー保護を行う画像処理装置及び画像処理方法を提供すること。【解決手段】スキャナ装置１１で読み取られた原稿上の画像は画像データとして画像データ記憶メモリ２１に記憶され、ＣＰＵ２２によって画像データ記憶メモリから読み出された画像データに応じて画像形成部１２ｂは記録用紙上に画像形成を行う。画像データ記憶メモリは、画像形成を行うため画像データ記憶メモリから画像データが読み出された際、画像データが画像データ記憶メモリに残らない破壊読出しを行う不揮発性メモリである。【選択図】図１
2007323484.tif 000002
【特許請求の範囲】
【請求項１】
データを一旦蓄積するメモリ手段と、
該メモリ手段から読み出された前記データに応じて画像形成を行う画像形成手段と、を有し、
前記メモリ手段は、前記画像形成を行うため前記メモリ手段から前記データが読み出された際、前記データが前記メモリ手段に残らない破壊読出しを行う不揮発性メモリであることを特徴とする画像処理装置。
【請求項２】
前記メモリ手段は、前記不揮発性メモリを複数備え、
前記不揮発性メモリに同一のデータを書き込む書込み制御手段と、
前記不揮発性メモリから順次データを読み出して前記画像形成手段に与える読出し制御手段と、
を有することを特徴とする請求項１記載の画像処理装置。
【請求項３】
電源がオンされる起動の際、停電からの復帰であるか否かを判定する第１の判定手段と、
前記第１の判定手段によって停電からの復帰でないと判定されると起動処理を行う起動処理手段と、
前記第１の判定手段によって停電からの復帰であると判定されると前記メモリ手段にデータが残存するか否かを判定して、データが残存すると前記メモリ手段から前記データを読み出して前記画像形成手段に与える第２の判定手段と、
を有することを特徴とする請求項１又は２記載の画像処理装置。
【請求項４】
メモリ手段にデータを一旦蓄積するデータ蓄積ステップと、
前記メモリ手段から読み出された前記データに応じて画像形成を行う画像形成ステップと、
を有し、
前記メモリ手段として、前記画像形成を行うため、前記メモリ手段から前記データが読み出された際、前記データが前記メモリ手段に残らない破壊読出しを行う不揮発性メモリを用いることを特徴とする画像処理方法。
【発明の詳細な説明】
【技術分野】
【０００１】
本発明は、画像データを一旦画像データ記憶メモリに蓄積して画像データに応じた画像形成を行うための画像処理装置及び画像処理方法に関し、特に画像データ記憶メモリとして破壊読出しを行う不揮発性メモリを用いた画像処理装置及び画像処理方法に関する。
【背景技術】
【０００２】
一般に、デジタル複写機等の画像処理装置においては、スキャナ装置で原稿を読み取って得られた画像データを一旦メモリ（画像データ記憶メモリ）に格納した後、メモリから画像データを読み出して、画像データに応じて電子写真プロセス又はインクジェット手法等によって記録媒体（記録用紙）に画像を印刷している。
【０００３】
上述の画像データ記憶メモリとして、ＳＲＡＭ（Ｓｔａｔｉｃ  Ｒａｎｄｏｍ  Ａｃｃｅｓｓ  Ｍｅｍｏｒｙ）又はフラッシュメモリ等の種々のメモリが用いられている。ＳＲＡＭはデータの保持に電源が必要であるもののデータのアクセス速度が高速であり、フラッシュメモリは、データのアクセス速度が低速であるもののデータの保持に電源が不要である。さらに、近年画像データ記憶メモリとしてハードディスクを用いた画像処理装置が知られている。
【０００４】
ところで、上述の画像処理装置においては、画像データ記憶メモリ中に原稿から読み取られた画像データが記憶される関係上、画像データを画像データ記憶メモリから消去する操作（メモリ消去操作）をしない限り、画像データが画像データ記憶メモリに残ってしまう。このため、メモリ消去操作を忘れたりすると、機密保持及び個人のプライバシー保護の観点から好ましくない事態となることがある。
【０００５】
このような不具合を防止するため、画像データを画像データ記憶メモリから確実に消去するための手法が知られている。例えば、記憶された画像データを確実に消去するため、画像データのセキュリティレベルに応じて繰り返し消去作業を行って機密保持を確実に行うようにしたものがある（例えば、特許文献１参照）。
【０００６】
また、画像データ記憶メモリに記憶された画像データを読み出して印刷処理等を行う画像処理部の動作が禁止状態から許容状態に移行するまでの間に、画像データ記憶メモリに記憶された画像データを自動的に消去するようにしたものがある（例えば、特許文献２参照）。
【０００７】
加えて、画像データ記憶メモリに記憶された画像データを最初に読み出すモードに応じた処理の完了に伴って自動的に画像データを消去するか否かを事前に設定できるようにしたものがある（例えば、特許文献３参照）。そして、複写機等の画像処理装置を使用するユーザ認証を行うユーザ認証部が異なるユーザを認証すると、画像データ記憶メモリに記憶された画像データを消去するようにしたものも知られている（例えば、特許文献４参照）。
【０００８】
また、画像データを消去する前又は消去途中で停電などの電源遮断が生じた場合等において、電源が投入された際、管理情報に基づいて未消去状態で存在する画像データを復元不能に消去するようにしたものがある（例えば、特許文献５参照）。
【特許文献１】特開２００４−１５３５１７号公報
【特許文献２】特開２００５−１０９９８８号公報
【特許文献３】特開２００５−１０９９８９号公報
【特許文献４】特開２００５−１０９９９０号公報
【特許文献５】特開２００５−１７６０２９号公報
【発明の開示】
【発明が解決しようとする課題】
【０００９】
ところで、上述した従来の画像処理装置においては、画像データ記憶メモリに記憶された画像データを消去する際、前述のように、データ消去のため種々の制御を行う必要があり、ユーザの誤設定や、ハードウェア又はソフトウェアの不具合によって画像データ記憶メモリに記憶された画像データが消去されないという事態等が生じることを避けられない。その結果、機密保持又は個人のプライバシー保護を損なう等の危惧がある。
【００１０】
特に、画像処理装置が、不特定多数の人間が操作・使用する店頭の複写機又は官庁等に設置される複写機である場合には、画像データが消去されずに画像データ記憶メモリに残存していると、機密保持又は個人のプライバシー保護の観点から重大な事態を招く危険性がある。
【００１１】
さらに、従来の画像処理装置においては、画像データ記憶メモリに蓄積された画像データを消去するための消去回路等の構成要素が必要となって装置構成が複雑になってしまうという課題もある。
【００１２】
本発明の目的は、上述の課題を解決するため、簡単な構成で、印刷後確実に画像データ記憶メモリに記憶された画像データを消去することのできる画像処理装置及び画像処理方法を提供することにある。
【課題を解決するための手段】
【００１３】
上述の課題を解決するため、本発明の画像処理装置は、データを一旦蓄積するメモリ手段と、このメモリ手段から読み出されたデータに応じて画像形成を行う画像形成手段とを有し、メモリ手段が、画像形成を行うためメモリ手段からデータが読み出された際、データがメモリ手段に残らない破壊読出しを行う不揮発性メモリであることを特徴とするものである。
【００１４】
このように、メモリ手段として破壊読出しを行う不揮発性メモリを用いているので、データに応じてコピー等の画像形成を行う際、メモリ手段からデータを読み出すだけで、当該データがメモリ手段から消去されることになり、消去回路等の別の構成要素が不要である。簡単な構成で確実にデータを消去できる結果、機密保持及びプライバシー保護を確実に行うことができる。
【００１５】
本発明による画像処理装置では、例えば、メモリ手段は不揮発性メモリを複数備え、これら不揮発性メモリに同一のデータを書き込む書込み制御手段と、これら不揮発性メモリから順次データを読み出して画像形成手段に与える読出し制御手段とを有している。
【００１６】
このように、不揮発性メモリを複数備えるようにして、これら複数の不揮発性メモリに同一のデータを書き込み、不揮発性メモリから順次データを読み出して画像形成を行うようにしたので、機密保持及びプライバシー保護を確保して、同一の原稿に基づくデータを複数回印刷できるという効果がある。
【００１７】
また、本発明による画像処理装置では、電源がオンされる起動の際、停電からの復帰であるか否かを判定する第１の判定手段と、この第１の判定手段によって停電からの復帰でないと判定されると起動処理を行う起動処理手段と、第１の判定手段によって停電からの復帰であると判定されるとメモリ手段にデータが残存するか否かを判定して、データが残存するとメモリ手段からデータを読み出して画像形成手段に与える第２の判定手段とを有するようにしてもよい。
【００１８】
このようにすれば、電源断の際に不揮発性メモリにデータが残存している場合には、電源復帰後直ちにメモリ手段からデータを読み出してコピー等の画像形成を行うので、電源断が復帰した後メモリ手段にデータが保持されたままの状態となることがなく、機密保持及びプライバシー保護を確実にできるという効果がある。
【００１９】
さらに、本発明による画像処理方法は、メモリ手段にデータを一旦蓄積するデータ蓄積ステップと、このメモリ手段から読み出されたデータに応じて画像形成を行う画像形成ステップとを有し、メモリ手段として、画像形成を行うため、メモリ手段からデータが読み出された際、データがメモリ手段に残らない破壊読出しを行う不揮発性メモリを用いることを特徴とするものである。
【発明を実施するための最良の形態】
【００２０】
以下、本発明の実施形態を図面に基づいて説明する。まず、図１を参照すると、画像処理装置１０は、例えば、デジタル複写機であり、スキャナ装置（画像読取装置）１１及びプリンター装置１２を有している。画像読取装置１１には固体撮像素子１１ａが備えられ、プリンター装置１２は、画像処理部１２ａ、画像形成部（印刷ブロック）１２ｂ、及び印刷制御部１２ｃを有している。
【００２１】
そして、画像処理部１２ａには、画像データ記憶メモリ２１、中央処理装置（ＣＰＵ）２２、ＲＯＭ（Ｒｅａｄ  Ｏｎｌｙ  Ｍｅｍｏｒｙ）２３、及びＲＡＭ（Ｒａｎｄｏｍ  Ａｃｃｅｓｓ  Ｍｅｍｏｒｙ）２４が備えられ、後述するように、画像データ記憶メモリ２１に画像データが記憶される。
【００２２】
原稿の複写（コピー）を行う際には、原稿がスキャナ装置１１で走査され、固体撮像素子１１ａによって原稿上の画像（文字等を含む）が撮像され、固体撮像素子１１ａから画像アナログ信号として出力される。固体撮像素子１１ａから出力される画像アナログ信号は、スキャナ装置１１で画像デジタル信号（シリアルデータ）に変換されて、画像処理部１２ａに与えられる。画像処理部１２ａにおいては、ＣＰＵ２２でシリアルデータをパラレルデータに変換し、画像データ記憶メモリ２１に画像データとして書き込む。なお、ＲＯＭ２３にはファームウェアプログラムが格納され、ＲＡＭ２４はＣＰＵ２２のワークエリアとして用いられる。
【００２３】
操作処理部３１にはユーザインターフェース部（ユーザＩ／Ｆ：図示せず）が備えられており、ユーザはユーザＩ／Ｆを用いて、例えば、複写枚数、用紙サイズ、及び拡大／縮小等の印刷指定を行うとともに、印刷濃度指定を行うことができる（以下単にユーザ指定情報と呼ぶ）。
【００２４】
ユーザ指定情報は操作処理部３１からＣＰＵ２２に与えられて、ＣＰＵ２２では、画像データ記憶メモリ２１に記憶された画像データを読み出して、ユーザ指定情報に応じて画像データを画像処理して、処理済画像データとして印刷制御部１２ｃに与える。印刷制御部１２ｃでは、処理済画像データに応じて印刷ブロック１２ｂを制御する。これによって、印刷ブロック１２ｂでは、例えば、電子写真プロセスによって画像形成を行って、記録用紙に画像を印刷して、印刷済み用紙３２を排紙する。
【００２５】
なお、印刷ブロック１２ｂで印刷を実行中においては、印刷制御部１２ｃは印刷ブロック１２ｂを監視して、印刷状態（印刷濃度等）及びエラー（ジャム等）を検知してユーザに報知する。
【００２６】
図１に示す画像処理装置１０では、画像データ記憶メモリ２１として、例えば、強誘電体材料から構成されるＦｅＲＡＭ（Ｆｅｒｒｏｅｌｅｃｔｒｉｃ  Ｒａｎｄｏｍ  Ａｃｃｅｓｓ  Ｍｅｍｏｒｙ）が用いられ、このＦｅＲＡＭはデータが読み出されると、当該データをメモリ中に残さない所謂、破壊読み出しとなる不揮発性メモリである。
【００２７】
ここで、図２を参照して、画像データ記憶メモリ（メモリ手段：不揮発性メモリ）２１の一例について説明する。前述のように、画像データ記憶メモリ２１は、例えば、ＦｅＲＡＭであって、画像データ記憶メモリ２１は基板（Ｃｈｉｐ）４１を有し、この基板４１上には、強誘電体材料がデータの蓄積メモリとして構成される複数のメモリセル４２がマトリックス状に配列されている。
【００２８】
さらに、基板４１には複数のメモリセル４２から任意のメモリセル４２を選択するための選択信号Ｓ１が供給される選択線（以下ワードライン（ＷＬ、Ｗｏｒｄ  Ｌｉｎｅ）と呼ぶ）４３と、メモリセル４２に第１の電圧Ｖ１を供給するための第１の電圧供給線（以下ビットライン（ＢＬ、Ｂｉｔ  Ｌｉｎｅ）と呼ぶ）４４と、メモリセル４２に第２の電圧Ｖ２を供給する第２の電圧供給線（以下プレートライン（ＰＬ、Ｐｌａｔｅ  Ｌｉｎｅ）と呼ぶ）４５が形成され、メモリセル群４６となる。
【００２９】
加えて、基板４１上には、ＷＬ４３を介して選択信号Ｓ１を供給して任意のメモリセル４２を選択し、当該選択されたメモリセル４２にデータを書き込むデータ書込部５１と、ＷＬ４３を介して選択信号Ｓ１を供給して任意のメモリセル４２を選択し、当該選択されたメモリセル４２に書き込まれているデータを読み出すデータ読出部５２と、データ書込部５１によるデータの書き込み動作を制御するとともに、データ読出部５２によるデータ読み出し動作を制御する制御部５３とが備えられている。そして、メモリセル４２は、データ読出部５２によってデータが反転して読み出されると、データの再書き込み動作が行われず、その状態（反転状態）が維持される。
【００３０】
ここで、図３を参照して、メモリセル群４６の構成について説明する。
【００３１】
図２に関連して説明したように、メモリセル群４６は複数のメモリセル４２を備えており、さらに図２には示されていないが、ＷＬ４３に選択信号Ｓ１を供給するＷＬ駆動部４７、ＢＬ４４に第１の電圧Ｖ１を供給するＢＬ駆動部４８、及びＰＬ４５に第２の電圧Ｖ２を供給するＰＬ駆動部４９を備えている。そして、ＷＬ駆動部４７、ＢＬ駆動部４８、及びＰＬ駆動部４９はデータ書込部５１及びデータ読出部５２によって駆動される。
【００３２】
図４を参照すると、各メモリセル４２は、トランジスタ４２ａ及び強誘電体膜から構成されるキャパシタ（以下、強誘電体キャパシタと呼ぶ）４２ｂを有しており、トランジスタ４２ａのゲート端子にＷＬ４３が接続され、ドレイン端子（又はソース端子）にＢＬ４４が接続されている。
【００３３】
さらに、トランジスタ４２ａのソース端子（又はドレイン端子）に強誘電体キャパシタ４２ｂの一端子が接続され、強誘電体キャパシタ４２ｂの他端子にＰＬ４５が接続されている。なお、前述の強誘電体膜の材料として、例えば、ＰＺＴ（ジルコン酸チタン酸鉛）等のペロブスカイト化合物系又はＳＢＺ（チタン酸バリウム・ストロンチウム）等の層状ペロブスカイト化合物系が用いられる。
【００３４】
また、本実施の形態では、メモリセル４２の例として、所謂１Ｔ／１Ｃ型が示されているが、１Ｔ／１Ｃ型に限定されず、例えば、２Ｔ／２Ｃ型等であってもよい。
【００３５】
再び図３を参照すると、図示のＷＬ駆動部４７は行方向アドレスデコーダ（図示せず）を有しており、行方向アドレスデコーダによってアドレス選択されたＷＬ４３にデータの書き込み又は読み出しに応じた電位を供給する。ＢＬ駆動部４８は、列方向アドレスデコーダ及びセンスアンプ（ともに図示せず）を有しており、列方向アドレスデコーダによってアドレス選択されたＢＬ４４に、データの書き込み又は読み出しに応じた電位を供給する。
【００３６】
さらに、ＢＬ駆動部４８は、データの読み出し時においてＢＬ４４を介してセンスアンプに供給される電圧をセンスアンプで増幅し、増幅後の信号（読出しデータ）を外部（例えば、図１に示すＣＰＵ２２）に出力する。ＰＬ駆動部４９は行方向アドレスデコーダ（図示せず）を有しており、この行方向アドレスデコーダによってアドレス選択されたＰＬ４５データの書き込み又は読み出しに応じた電位を供給する。
【００３７】
ここで、図１〜図３を参照して、メモリセル４２に画像データを書き込む動作について説明する。画像データ書込みの際には、ＣＰＵ２２は制御部５３に書き込み指令を与えるとともにデータ書込部５１に画像データを与える。データ書込部５１は、制御部５３による書き込み制御に従ってＷＬ駆動部４７、ＢＬ駆動部４８、及びＰＬ駆動部４９に画像データに応じた書込み信号を供給する。
【００３８】
ＷＬ駆動部４７では、書込み信号に応じて任意のＷＬ４３を選択し、選択したＷＬ４３に選択信号を供給する。ＷＬ駆動部４７によって選択されたＷＬ４３上のメモリセル４２では、ゲート端子に選択信号が供給されて、トランジスタ４２ａがオン（ＯＮ）状態となる。
【００３９】
ＢＬ駆動部４８では、書込み信号に応じて任意のＢＬ４４を選択し、選択したＢＬ４４に第１の電圧Ｖ１を供給する。また、ＰＬ駆動部４９では、書込み信号に応じて任意のＰＬ４５に所定の第２の電圧Ｖ２を供給する。
【００４０】
例えば、ＢＬ４４に第１の電圧Ｖ１として０Ｖが印加され、ＰＬ４５に第２の電圧Ｖ２としてＶｃｃが印加されると、強誘電体キャパシタ４２ｂには「０」が書き込まれ、また、ＢＬ４４に第１の電圧Ｖ１としてＶｃｃが印加され、ＰＬ４５に第２の電圧Ｖ２として０Ｖが印加されると、強誘電体キャパシタ４２ｂには「１」が書き込まれる。そして、強誘電体キャパシタ４２ｂは、ＷＬ４３が非選択状態（トランジスタ４２ａがオフ（ＯＦＦ）状態）になっても書き込まれたデータ（書き込み状態）を保持する。
【００４１】
続いて、メモリセル４２に書き込まれた画像データを読み出す動作について説明する。画像データを読み出す際には、ＣＰＵ２２は制御部５３に読出し指令を与える。これによって、制御部５３はデータ読出部５２を読出し制御する（つまり、制御部５３は、アドレス信号及び読出し制御信号をデータ読出部５２に与える）。データ読出部５２ではアドレス信号をＷＬ４３及びＰＬ４５を選択するためのＸデコード信号にデコードし、さらにセンスアンプ及びＢＬ４４を選択するためのＹデコード信号にデコードする。そして、データ読出部５２ではＸデコード信号をＷＬ駆動部４７及びＰＬ駆動部４９に与え、Ｙデコード信号をＢＬ駆動部４８に与える。つまり、データ読出部５２は、ＷＬ駆動部４７、ＢＬ駆動部４８、及びＰＬ駆動部４９に読出し信号を供給することになる。ＷＬ駆動部４７は、Ｘデコード信号（読出し信号）に応じて任意のＷＬ４３を選択し、選択したＷＬ４３に選択信号を供給する。ＷＬ駆動部４７により選択されたＷＬ４３上のメモリセル４２では、ゲート端子に選択信号が供給されると、トランジスタ４２ａがＯＮ状態となる。
【００４２】
ＢＬ駆動部４８では、Ｙデコード信号（読出し信号）に応じて任意のＢＬ４４を選択し、選択したＢＬ４４に第１の電圧Ｖ１を供給する。また、ＰＬ駆動部４５は、Ｘデコード信号（読出し信号）に応じて任意のＰＬ４５に第２の電圧Ｖ２を供給する。なお、前述の読出し制御信号はＢＬ４４及びＢＬ駆動部４８（センスアンプ）を動作させるタイミングを制御するために用いられる。
【００４３】
例えば、ＢＬ４３に第１の電圧Ｖ１として０Ｖが印加され、ＰＬ４５に第２の電圧Ｖ２としてＶｃｃが印加されると、強誘電体キャパシタ４２ｂの分極状態に応じた電圧がＢＬ４４を介してＢＬ駆動部４８のセンスアンプに供給される。センスアンプは、供給された電圧に応じて、「１」又は「０」を判断して読出しデータとして外部に出力する。例えば、読出しデータは、図１に示すＣＰＵ２２に出力され、ＣＰＵ２２は印刷制御部１２ｃに読出しデータを与える。なお、ＢＬ４４に出力された電圧は制御部５３によるＢＬ４４を選択するタイミングとセンスアンプを動作させるタイミングとに応じて増幅された後外部に読出しデータとして出力されることになる。
【００４４】
強誘電体キャパシタ４２ｂでは、「１」が読み出された場合には、分極状態が「１」の状態から「０」の状態に反転し、この反転状態を維持する所謂破壊読み出しが行われる。なお、強誘電体キャパシタ４２ｂでは、「０」が読み出されると、分極状態の反転が生じないため、データの読み出し後も「０」が維持される。
【００４５】
図示の画像データ記憶メモリ２１では、データの読出しを行った後、データの再書き込み動作を行っておらず、このため、データ読出部５２により画像データ記憶メモリ２１から画像データが読み出されると、画像データ記憶メモリ２１には画像データが存在しない状態となって実質的に画像データを消去した状態となる。
【００４６】
この結果、図１に示す画像処理装置１０では、画像データ記憶メモリ２１に蓄積された画像データに基づいて印刷が行われると、データ消去動作等の消去制御を行うことなく、画像データ記憶メモリ２１に記憶された画像データが消去されることになるから、消去回路等の構成要素を必要とすることなく、簡単な構成で機密保持及びプライバシー保護を確実に達成できることになる。
【００４７】
ところで、画像データ記憶メモリ２１は、前述のように、所謂破壊読出しの不揮発性メモリであり、停電等によって画像処理装置１０の電源が遮断されても画像データ記憶メモリ２１に記憶された画像データは画像データ記憶メモリ２１に保持されている。つまり、画像データ記憶メモリ２１では、画像データの読出しが行われない限り、電源の遮断があっても画像データを保持している。
【００４８】
従って、ＣＰＵ２２は画像処理装置１０が起動された際、例えば、停電からの復帰であるか否かを判断して（第１の判定手段）、停電からの復帰であれば、ＣＰＵ２２は画像データ記憶メモリ２１に画像データが残っているか否かを判定する。停電からの復帰であるか否かを判定する際には、例えば、ＣＰＵ２２はメインスイッチ（図示せず）がオン位置にあるか否かを判定し、メインスイッチがオン位置にある際に電源が遮断した後、再度電源がオンすると、停電からの復帰であるとする。そして、画像データ記憶メモリ２１に画像データが残っていれば、ＣＰＵ２２は印刷途中であるとして印刷を再開すべく画像データ記憶メモリ２１から画像データを読み出して（第２の判定手段）、印刷制御部１２ｃに与える。
【００４９】
一方、ＣＰＵ２２は停電からの復帰でないと判断すると、ＣＰＵ２２は通常の起動処理を実行して（起動処理手段）、図１に関連して説明した印刷処理に移る。
【００５０】
なお、図１で説明した画像処理装置１０では、印刷（例えば、コピー）が行われると、画像データ記憶メモリ２１に記憶された画像データは消去されるので、同一の原稿を複数回コピーする場合には、コピー回数分、原稿をスキャナ装置で読み取る必要があるが、画像データ記憶メモリ２１を複数個用意しておき、各画像データ記憶メモリ２１に同一の画像データを書き込んでおき、画像データ記憶メモリ２１から順次画像データを読み出して印刷制御部１２ｃに与えれば、一回の読み取りで複数回のコピーを行うことができる。
【００５１】
また、画像データ記憶メモリ２１に制御部５３を備えず、ＣＰＵ２２に制御部５３の機能を持たせるようにしてよい。このようにすれば、基板４１上に制御部５３が存在しないから、基板４１を小規模化することができる。
【００５２】
上述の実施の形態においては、図１に示す印刷制御部１２ｃ及び印刷ブロック１２ｂが画像形成手段として機能し、さらにＣＰＵ２２、制御部５３、及びデータ書込部５１が書込み制御手段として機能する。また、ＣＰＵ２２、制御部５３、及びデータ読出部５２が読出し制御手段として機能する。
【００５３】
さらに、上述の実施の形態では、ＣＰＵ２２が画像データをシリアル−パラレル変換して画像データ記憶メモリ２１に書き込む例について説明したが、所謂ＤＭＡ（Ｄｉｒｅｃｔ  Ｍｅｍｏｒｙ  Ａｃｃｅｓｓ）転送によって画像データを直接画像データ記憶メモリ２１に書き込むようにしてもよい。
【図面の簡単な説明】
【００５４】
【図１】本発明の実施の形態による画像処理装置の一例を示すブロック図である。
【図２】図１に示す画像データ記憶メモリの一例を示すブロック図である。
【図３】図２に示す画像データ記憶メモリに備えられるメモリセル群を示すブロック図である。
【図４】図３に示すメモリセル群の一メモリセルの構成を示す図である。
【符号の説明】
【００５５】
１０  画像処理装置、１１  スキャナ装置（画像読取装置）、１２  プリンター装置、１２ａ  画像処理部、１２ｂ  画像形成部（印刷ブロック）、１２ｃ  印刷制御部、２１  画像データ記憶メモリ、２２  中央処理装置（ＣＰＵ）、２３  ＲＯＭ、２４  ＲＡＭ、３１  操作処理部、４１  基板、４２  メモリセル、４３  選択線（ワードライン（ＷＬ））、４４  第１の電圧供給線（ビットライン（ＢＬ））、４５  第２の電圧供給線（プレートライン（ＰＬ））、４６  メモリセル群、４７  ＷＬ駆動部、４８  ＢＬ駆動部、４９  ＰＬ駆動部、５１  データ書込部、５２  データ読出部、５３  制御部
【図１】
2007323484.tif 000003
【図２】
2007323484.tif 000004
【図３】
2007323484.tif 000005
【図４】
2007323484.tif 000006